(57)【特許請求の範囲】
【請求項１】
１ないし複数の監視対象の状態を監視した結果をネットワークを介して収集して、収集した監視結果に応じたセキュリティ対策を実施する監視センタを備えたセキュリティシステムにおいて、
前記監視対象それぞれの状態を監視する手段として、前記監視対象の状態を検出して、監視結果として出力する検出手段と、
ＬＡＮネットワークとの間の情報の送受信動作を制御するＬＡＮ制御手段と、を少なくとも備えたＬＡＮセンサを有し、
前記ＬＡＮセンサの前記ＬＡＮ制御手段は、前記ＬＡＮネットワークを介して、他の前記ＬＡＮセンサとカスケード接続するためのハブ機能を有しており、
前記ＬＡＮセンサは、１つの前記監視対象ごとに配置され、
該ＬＡＮセンサに備えられる前記検出手段は、１つの当該監視対象の状態を検出し、
前記ＬＡＮセンサは、前記検出手段から出力された前記監視結果に、当該ＬＡＮセンサのＩＰ（Internet Protocol）アドレスを付して、前記ＬＡＮ制御手段の制御により、前記ＬＡＮネットワークおよび前記ネットワークを介して、前記監視センタに送信する
ことを特徴とするセキュリティシステム。
【請求項２】
前記監視センタは、前記監視対象が存在する場所と前記ＬＡＮセンサのＩＰアドレスとの対応関係を少なくとも登録するデータベースを備え、前記ＬＡＮセンサから当該ＬＡＮセンサのＩＰアドレスが付された前記監視結果を受信した際に、前記データベースを参照して、受信した前記監視結果の監視対象が存在する場所を特定することを特徴とする請求項１に記載のセキュリティシステム。
【請求項３】
前記ＬＡＮセンサの前記ＬＡＮ制御手段は、当該ＬＡＮセンサを前記ＬＡＮネットワークに接続した際に、当該ＬＡＮセンサのＩＰアドレスを、前記監視センタへ送信し、前記データベースに登録することを特徴とする請求項２に記載のセキュリティシステム。
【請求項４】
前記ＬＡＮセンサのＩＰアドレスが、ＩＰｖ６規格に準拠したＩＰアドレスであり、ＩＰｖ６規格のプラグ・アンド・プレイ動作により、当該ＬＡＮセンサを前記ＬＡＮネットワークに接続した際に、自動的に割り付けられることを特徴とする請求項１ないし３のいずれかに記載のセキュリティシステム。
【発明の詳細な説明】
【技術分野】
【０００１】
本発明は、セキュリティシステムに関する。特に、本発明は、監視対象を監視するセンサ入力を有するあらゆる分野のシステムに対して適用することができる。
【背景技術】
【０００２】
従来のセキュリティシステムは、特許文献１の特開２００４−１２６８６４号公報「監視システムと監視情報の中継装置および中継方法」に記載されているように、センサからの入力を監視端末に収容して、監視端末からネットワークあるいは専用回線を通して監視センタ側の受信装置に通知する構成を採用している。すなわち、図４に示すように、第１の監視端末１０Ａ、第２の監視端末２０Ａ、…、第ｍの監視端末３０Ａのそれぞれには、センサ１、センサ２、…、センサｎのｎ個のセンサ入力があり、各監視端末１０Ａ，２０Ａ，…，３０Ａは、ネットワーク１００Ａを介して各監視端末ごとの各センサの監視結果を監視センタ５０へ送信し、各監視端末１０Ａ，２０Ａ，…，３０Ａの各センサの監視結果を受信する監視センタ５０では、受信装置４０Ａにて受信して、各監視端末についてセンサ番号と監視場所とを対応付けた形で登録しているデータベース６０を用いて、受信したセンサの監視結果の監視場所を特定するようにしている。
【０００３】
例えば、第１の監視端末１０Ａのセンサ１が異常を検出している場合、第１の監視端末１０Ａは、ネットワーク１００Ａを介して、監視センタ５０の受信装置４０Ａに対して、第１の監視端末１０Ａの識別番号と、センサ１の識別番号とを含む異常情報を監視結果として通知してくる。該異常情報を受信した監視センタ５０においては、第１の監視端末１０Ａから通知されてきた異常情報に含まれている第１の監視端末１０Ａの識別番号とセンサ１の識別番号とを基にして、データベース６０を参照することによって、異常が発生した場所を特定することができる。
【特許文献１】特開２００４−１２６８６４号公報（第８−１１頁）
【発明の開示】
【発明が解決しようとする課題】
【０００４】
しかしながら、前述したように、従来のセキュリティシステムにおいては、通常、監視端末は、複数（例えば図４の場合ｎ個）のセンサ入力を有しており、監視端末のセンサ入力数よりも少ない個数の監視対象の設備に適用して運用する場合は、使用しないセンサ入力が存在することになり、コストパフォーマンスが悪い。また、監視端末のセンサ入力数を超える個数の監視対象の設備に適用する場合は、監視端末を複数設置する必要があり、コストパフォーマンスが悪く、柔軟な追加変更ができないという問題がある。
【０００５】
一方、近年、インターネットの普及とＩＰｖ６(Internet  Protocol  Version  ６)プロトコルの適用拡大により、割り当て可能なＩＰアドレス空間が大幅に拡大し、監視対象を監視する個々のセンサ（検出部）に対しても固有のＩＰアドレスを割り当てることが可能になっている。この結果、センサからの入力を監視端末に収容しなくても、センサによる監視結果を、ＬＡＮネットワークやＩＰネットワークやインターネットを介して、監視センタ側の受信装置にそのまま通知するシステムを構築することが可能になってきている。
【０００６】
本発明は、かかる事情に鑑みてなされたものであり、監視対象の状態を監視する検出部（センサ）をＬＡＮ機能を有するＬＡＮセンサとして構成し、該ＬＡＮセンサにＩＰｖ６プロトコルを適用することによって、監視端末の設置をする必要がなく、かつ、ＬＡＮセンサ設置に伴う設定作業も大幅に低減可能な安価で拡張性に富むセキュリティシステムを提供することに、その目的がある。
【課題を解決するための手段】
【０００７】
前述の課題を解決するため、本発明によるセキュリティシステムは、次のような特徴的な構成を採用している。
【０００８】
（１）１ないし複数の監視対象の状態を監視した結果をネットワークを介して収集して、収集した監視結果に応じたセキュリティ対策を実施する監視センタを備えたセキュリティシステムにおいて、前記監視対象それぞれの状態を監視する手段として、前記監視対象の状態を検出して、監視結果として出力する検出手段と、ＬＡＮネットワークとの間の情報の送受信動作を制御するＬＡＮ制御手段と、を少なくとも備えたＬＡＮセンサを有し、前記ＬＡＮセンサは、前記検出手段から出力された前記監視結果を、前記ＬＡＮ制御手段の制御により、前記ＬＡＮネットワークおよび前記ネットワークを介して、前記監視センタに送信するセキュリティシステム。
【発明の効果】
【０００９】
本発明のセキュリティシステムによれば、以下のような効果を得ることができる。
【００１０】
第１に、従来のように、複数のセンサを収容するための監視端末を設置する必要がなく、監視対象に対応してＬＡＮセンサを配置すれば良いので、安価で拡張性に富むセキュリティシステムを提供することができる。
【００１１】
第２に、ＬＡＮセンサを設置した際に、プラグ・アンド・プレイ機能によって、当該ＬＡＮセンサのＩＰアドレスを自動的に取得するので、設置時のユーザによる設定作業が不要であり、設置時間の短縮、設置コストの大幅な削減を図ることができる。
【００１２】
第３に、ＬＡＮセンサの増設時にも、ＬＡＮセンサにハブ機能を備えているので、既設のＬＡＮセンサにＬＡＮネットワーク（ＬＡＮケーブル）を介してカスケード接続するだけで、簡単に増設することができるので、増設作業のコストも大幅に削減することができる。
【発明を実施するための最良の形態】
【００１３】
以下、本発明によるセキュリティシステムの好適な実施形態について添付図を参照して説明する。
【００１４】
（本発明の特徴）
本発明の実施形態の説明に先立って、本発明の特徴について、その概要をまず説明する。本発明は、監視対象の状態を監視するための手段として、ＩＰｖ６プロトコルに準拠したＬＡＮ機能を有するセンサつまりＬＡＮセンサを用いた構成とすることにより、ＬＡＮ環境が備えられている場所であれば、ＬＡＮセンサをＬＡＮケーブルに接続するだけで、監視機能を動作させることが可能であり、安価で拡張性に富むセキュリティシステムを提供することができることに、最大の特徴を有している。
【００１５】
（本発明による実施形態の構成例）
図１は、本発明によるセキュリティシステムのシステム構成の一例を示すシステム構成図である。図１に示すように、本実施形態のセキュリティシステムは、ＩＰｖ６プロトコルに準拠したＬＡＮネットワーク接続機能を有する第１、第２のＬＡＮセンサ１０，２０により、監視対象１４，２４の状態をそれぞれ監視し、監視結果を、インターネット１００を介して監視センタ５０の受信装置４０へ送信する仕組みを有している。第１、第２のＬＡＮセンサ１０，２０は、それぞれ、第１、第２の監視対象１４，２４の状態を監視した結果を示す入力を検出する検出部１３，２３、該検出部１３，２３にてそれぞれ検出した監視情報を外部へ送信する第１のＬＡＮ制御部１１，２１、ハブ機能を有する第２のＬＡＮ制御部１２，２２を備えている。
【００１６】
検出部１３，２３は、それぞれの監視対象１４，２４の状態を読み取って、１入力の監視結果として、それぞれ、第１のＬＡＮ制御部１１，２１へ出力する部位であり、監視対象は１個（１種類）のみである。
【００１７】
第１のＬＡＮ制御部１１，２１は、検出部１３，２３から入力された監視結果および第２のＬＡＮ制御部１２，２２から転送されてくる他のＬＡＮセンサの監視結果を、それぞれ、当該ＬＡＮセンサ１０，２０の外部へＩＰｖ６プロトコルに基づいて送信する部位である。ここで、第１のＬＡＮセンサ１０内の第１のＬＡＮ制御部１１は、インターネット１００を介して、監視センタ５０側の受信装置４０へ監視結果を送信する。また、第１のＬＡＮセンサ１０以外の第１のＬＡＮ制御部は、カスケード接続されている１つ上流側のＬＡＮセンサの第２のＬＡＮ制御部へ監視結果を転送する。例えば、第２のＬＡＮセンサ２０の第１のＬＡＮ制御部２１は、１つ上流側の第１のＬＡＮセンサ１０の第２のＬＡＮ制御部１２へ監視結果を転送する。
【００１８】
第２のＬＡＮ制御部１２，２２は、ハブ機能を有し、カスケード接続されている１つ下流側のＬＡＮセンサの第１のＬＡＮ制御部から転送されてくる監視結果をＩＰｖ６プロトコルに基づいて受信して、当該ＬＡＮセンサの第１のＬＡＮ制御部へ転送する。例えば、第１のＬＡＮセンサ１０の第２のＬＡＮ制御部１２は、１つ下流側の第２のＬＡＮセンサ２０の第１のＬＡＮ制御部２１から転送されてきた監視結果をＩＰｖ６プロトコルに基づいて受信して、当該ＬＡＮセンサ１０の第１のＬＡＮ制御部１１へ転送する。つまり、第２のＬＡＮ制御部１２，２２は、監視対象を増設していく場合に、増設した監視対象を監視するために新たに増設した他のＬＡＮセンサとの間を接続するカスケード接続機能を有している。
【００１９】
受信装置４０は、監視センタ５０に設置されて、第１、第２のＬＡＮセンサ１０，２０など各ＬＡＮセンサから送信されてくる監視結果を受信して、集中的に管理する部位であり、各監視結果の送信元である検出部が収容されている各ＬＡＮセンサの識別番号を基にして、例えば各ＬＡＮセンサのＩＰアドレスを基にして、データベース６０に登録されている対応表を索引することにより、それぞれの監視結果の監視対象つまり監視場所を特定して、特定した監視対象の状態を、例えば、画面表示したり、ランプ表示したり、音声出力したりする。さらには、受信装置４０は、監視結果として異常が検出された場合には、異常内容に応じたセキュリティレベルの緊急措置を発動したり、警報を鳴動したり、警報ランプを点滅させたりする。
【００２０】
例えば、監視センタ５０のデータベース６０内に対応表としてあらかじめ設定登録されている監視場所を特定するための情報の一例を、図２に示す。図２は、図１のシステム構成の監視センタ５０において監視場所の特定情報を登録しているデータベース６０の一例を示すテーブルである。図２に示すように、本実施形態においては、各ＬＡＮセンサ１０，２０，３０，…は、それぞれ、１つの監視対象１４，２４，３４，…つまり１つの監視場所の状態のみを監視結果として取得しており、カスケード接続されたＬＡＮネットワーク（ＬＡＮケーブル）からルータ７０、ネットワーク１００を介して、監視センタ５０の受信装置４０に送信してくる。したがって、監視センタ５０のデータベース６０には、監視場所６３を、ＬＡＮセンサのＩＰアドレス６１と１対１に対応付けされた情報として設定登録する例を示している。なお、図２には、この他の情報として、ＬＡＮセンサの新設、増減設時のデータベース６０への登録も自動的に実施可能なように、センサ情報６２として、ＬＡＮセンサ識別番号も設定登録している例を示している。
【００２１】
次に、ＬＡＮセンサ１０，２０内の各部位の動作について、若干、補足して説明する。第１のＬＡＮセンサ１０の第１のＬＡＮ制御部１１は、検出部１３による監視情報を、該監視情報の送信元のＬＡＮセンサ１０(第１のＬＡＮ制御部１１)のＩＰアドレスを付して、ＬＡＮネットワークおよびインターネット１００を介して受信装置４０へ送信し、受信装置４０は、第１のＬＡＮセンサ１０からＬＡＮネットワークおよびインターネット１００を介して送信されてくる監視情報を受信する。ここで、監視情報の送受信動作は、ＩＰｖ６プロトコルにしたがって実施される。
【００２２】
第２のＬＡＮセンサ２０の第１のＬＡＮ制御部２１は、検出部２３による監視情報を、該監視情報の送信元のＬＡＮセンサ２０(第１のＬＡＮ制御部２１)のＩＰアドレスを付して、第１のＬＡＮセンサ１０の第２のＬＡＮ制御部１２に転送し、第１のＬＡＮセンサ１０の第２のＬＡＮ制御部１２は、当該第１のＬＡＮセンサ１０の第１のＬＡＮ制御部１１に転送し、第１のＬＡＮ制御部１１から、ＬＡＮネットワークおよびインターネット１００を介して、受信装置４０へ送信する。ここで、監視情報の送受信動作は、ＩＰｖ６プロトコルにしたがって実施される。
【００２３】
監視対象を追加し、監視情報の入力数を増加する場合は、増加した監視情報を扱うＬＡＮセンサを追加して、既設のＬＡＮセンサ内のハブ機能を有する第２のＬＡＮ制御部に、ＬＡＮケーブル（ＬＡＮネットワーク）を通して、カスケード接続した構成を採用する。例えば、監視対象を増やして、第３のＬＡＮセンサを追加した場合、第２のＬＡＮセンサ２０の第２のＬＡＮ制御部２２に、第３のＬＡＮセンサの第１のＬＡＮ制御部をＬＡＮケーブルにより接続すれば良い。これにより、第２のＬＡＮセンサ２０の第２のＬＡＮ制御部２２は、増設した第３のＬＡＮセンサの第１のＬＡＮ制御部からの監視情報を受け取って、当該第２のＬＡＮセンサ２０の第１のＬＡＮ制御部２１へ転送し、さらに、当該第１のＬＡＮ制御部２１から、第１のＬＡＮセンサ１０の第２のＬＡＮ制御部１２に転送する。さらに、第１のＬＡＮセンサ１０の第２のＬＡＮ制御部１２は、当該第１のＬＡＮセンサ１０の第１のＬＡＮ制御部１１に転送し、第１のＬＡＮ制御部１１から、ＬＡＮネットワークおよびインターネット１００を介して、受信装置４０へ送信する。
【００２４】
ここで、第１、第２のＬＡＮセンサ１０，２０の検出部１３，２３へのセンサ入力は、前述のように、１個のみであり、監視する監視対象は１個であり、図４の従来のセキュリティシステムの場合のセンサに相当している。また、監視センタ５０側の受信装置４０は、必要に応じてセンサを随時増設することができ、多数に及ぶ第１、第２、…のＬＡＮセンサ１０，２０，…の各検出部１３，２３，…による監視結果を集中的に管理し、対応する各種のセキュリティ設定動作を柔軟に実施することができるとともに、インターネット１００との接続制御を実施するために、通常、プログラム制御により動作するコンピュータによって構成されている。また、第１、第２、…のＬＡＮセンサ１０，２０，…についても、ＩＰｖ６プロトコルに準拠したＬＡＮ接続制御を実施するために、プログラム制御により動作するコンピュータによって構成されている。
【００２５】
（実施形態の動作の説明）
次に、図１に示すセキュリティシステムの動作の一例について。図３のフローチャートを用いて詳細に説明する。図３は、図１に示すセキュリティシステムの動作の一例を説明するためのフローチャートであり、ＬＡＮセンサの動作と、受信装置４０の動作と、の双方について示している。
【００２６】
まず、ＬＡＮセンサを新たに設置すると、ＩＰｖ６プロトコルに準拠したＩＰｖ６プラグ・アンド・プレイ（ＰｎＰ：Plug  and  Play）機能により、ＩＰアドレスを自動的に取得する（ステップＳ１）。ＩＰアドレスを自動的に取得したＬＡＮセンサは、取得したＩＰアドレスとＬＡＮセンサ識別番号であるセンサ情報とを、設置通知信号として、カスケード接続された他のＬＡＮセンサを介して、最終的に、第１のＬＡＮセンサ１０から、インターネット１００を経由して、受信装置４０に通知する（ステップＳ２）。設置通知信号を受信した受信装置４０は、該設置通知信号に含まれているＬＡＮセンサのセンサ情報に基づいて、データベース６０の中から監視場所６３に対応して設定されているセンサ情報６２を検索して該当する欄のＩＰアドレス６１に受信したＬＡＮセンサのＩＰアドレスを設定登録する（ステップＳ１１）。
【００２７】
しかる後は、監視対象の状態の変化を検出したタイミングで、あるいは、あらかじめ定めた周期ごとに、監視対象の監視結果を検出情報として送信元のＬＡＮセンサのＩＰアドレスを付して、カスケード接続された他のＬＡＮセンサを介して、最終的に、第１のＬＡＮセンサ１０から、インターネット１００を経由して、受信装置４０に通知する（ステップＳ３）。検出情報を受信した受信装置４０は、該検出情報に含まれているＩＰアドレスに基づいて、データベース６０の中から、監視対象つまり監視場所６３を抽出して、監視結果として通知されてきた監視場所を特定する（ステップＳ１２）。
【００２８】
また、監視対象を追加したい場合、当該監視対象を監視するＬＡＮセンサを新たに用意して、既設のＬＡＮセンサにカスケード接続する。ＬＡＮセンサをカスケード接続すると、ＩＰｖ６プロトコルに準拠したＩＰｖ６プラグ・アンド・プレイ（ＰｎＰ：Plug  and  Play）機能により、ＩＰアドレスを自動的に取得する（ステップＳ４）。ＩＰアドレスを自動的に取得したＬＡＮセンサは、取得したＩＰアドレスとＬＡＮセンサ識別番号であるセンサ情報とを、増設用の設置通知信号として、カスケード接続された他のＬＡＮセンサを介して、最終的に、第１のＬＡＮセンサ１０から、インターネット１００を経由して、受信装置４０に通知する（ステップＳ５）。
【００２９】
増設用の設置通知信号を受信した受信装置４０は、該設置通知信号に含まれているＬＡＮセンサのセンサ情報に基づいて、データベース６０の中から監視場所６３に対応して設定されているセンサ情報６２を検索して該当する欄のＩＰアドレス６１に受信したＬＡＮセンサのＩＰアドレスを設定登録する（ステップＳ１３）。
【００３０】
しかる後は、監視対象の状態の変化を検出したタイミングで、あるいは、あらかじめ定めた周期ごとに、監視対象の監視結果を検出情報として送信元のＬＡＮセンサのＩＰアドレスを付して、カスケード接続された他のＬＡＮセンサを介して、最終的に、第１のＬＡＮセンサ１０から、インターネット１００を経由して、受信装置４０に通知する（ステップＳ６）。検出情報を受信した受信装置４０は、該検出情報に含まれているＩＰアドレスに基づいて、データベース６０の中から、監視対象つまり監視場所６３を抽出して、監視結果として通知されてきた監視場所を特定する（ステップＳ１４）。
【００３１】
（本実施形態の効果の説明）
以上に詳細に説明したように、本実施形態によれば、以下のような効果が得られる。
【００３２】
第１に、従来のように、複数のセンサを収容するための監視端末を設置する必要がなく、監視対象に対応してＬＡＮセンサを配置すれば良いので、安価で拡張性に富むセキュリティシステムを提供することができる。
【００３３】
第２に、ＬＡＮセンサを設置した際に、プラグ・アンド・プレイ機能によって、当該ＬＡＮセンサのＩＰアドレスを自動的に取得するので、設置時のユーザによる設定作業が不要であり、設置時間の短縮、設置コストの大幅な削減を図ることができる。
【００３４】
第３に、ＬＡＮセンサの増設時にも、ＬＡＮセンサにハブ機能を備えているので、既設のＬＡＮセンサにＬＡＮネットワーク（ＬＡＮケーブル）を介してカスケード接続するだけで、簡単に増設することができるので、増設作業のコストも大幅に削減することができる。
【００３５】
さらに説明すれば、本実施形態にて説明したように、ＩＰｖ６プロトコルに準拠したＬＡＮ環境さえ備えられている場所であれば、監視対象がいかに増加したとしても、ＬＡＮセンサを必要分だけ増設していけば良く、従来技術のように、監視対象数が増えてしまって、センサのみならず、センサ入力を取り込むための監視端末を増設したりする必要は全くない。
【００３６】
さらに、ＬＡＮセンサの設置時には、ＬＡＮケーブル（ＬＡＮネットワーク）にＬＡＮセンサを接続するだけで、自動的に動作可能な状態に設定されるので、工事工数を大幅に低減することができ、従来技術のように、センサ用配線を敷設した後、センサを設置して接続したり、さらには、監視端末にてセンサ情報を設定する作業をしたり、あるいは、必要とするセンサ数が監視端末で使用可能なセンサ入力数を上回ってしまった場合に、監視端末を新たに増設したり、さらには、受信装置側でデータベースを一々更新したりする場合に比し、大幅に安価で拡張性に富むセキュリティシステムを提供することができる。
【００３７】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。例えば、本発明の実施態様は、課題を解決するための手段における構成（１）に加えて、次のような構成として表現できる。
【００３８】
（２）前記ＬＡＮセンサは、１つの前記監視対象ごとに配置され、該ＬＡＮセンサに備えられる前記検出手段は、１つの当該監視対象の状態を検出する上記（１）のセキュリティシステム。
（３）前記ＬＡＮセンサの前記ＬＡＮ制御手段は、前記ＬＡＮネットワークを介して、他の前記ＬＡＮセンサとカスケード接続するためのハブ機能を有している上記（１）または（２）のセキュリティシステム。
（４）前記ＬＡＮセンサの前記ＬＡＮ制御手段は、前記検出手段から出力された前記監視結果を、前記監視センタに送信する際に、当該ＬＡＮセンサのＩＰ（Internet  Protocol）アドレスを付して送信する上記（１）ないし（３）のいずれかのセキュリティシステム。
（５）前記監視センタは、前記監視対象が存在する場所と前記ＬＡＮセンサのＩＰアドレスとの対応関係を少なくとも登録するデータベースを備え、前記ＬＡＮセンサから当該ＬＡＮセンサのＩＰアドレスが付された前記監視結果を受信した際に、前記データベースを参照して、受信した前記監視結果の監視対象が存在する場所を特定する上記（４）のセキュリティシステム。
（６）前記ＬＡＮセンサの前記ＬＡＮ制御手段は、当該ＬＡＮセンサを前記ＬＡＮネットワークに接続した際に、当該ＬＡＮセンサのＩＰアドレスを、前記監視センタへ送信し、前記データベースに登録する上記（５）のセキュリティシステム。
（７）前記ＬＡＮセンサのＩＰアドレスが、ＩＰｖ６規格に準拠したＩＰアドレスであり、ＩＰｖ６規格のプラグ・アンド・プレイ動作により、当該ＬＡＮセンサを前記ＬＡＮネットワークに接続した際に、自動的に割り付けられる上記（４）ないし（６）のいずれかのセキュリティシステム。
【図面の簡単な説明】
【００３９】
【図１】本発明によるセキュリティシステムのシステム構成の一例を示すシステム構成図である。
【図２】図１のシステム構成の監視センタにおいて監視場所の特定情報を登録しているデータベースの一例を示すテーブルである。
【図３】図１に示すセキュリティシステムの動作の一例を説明するためのフローチャートである。
【図４】従来のセキュリティシステムのシステム構成を示すシステム構成図である。
【符号の説明】
【００４０】
１０        第１のＬＡＮセンサ
１０Ａ      第１の監視端末
１１        第１のＬＡＮ制御部
１２        第２のＬＡＮ制御部
１３        検出部
１４        監視対象
２０        第２のＬＡＮセンサ
２０Ａ      第２の監視端末
２１        第１のＬＡＮ制御部
２２        第２のＬＡＮ制御部
２３        検出部
２４        監視対象
３０        第３のＬＡＮセンサ
３０Ａ      第ｍの監視端末
３４        監視対象
４０        受信装置
４０Ａ      受信装置
５０        監視センタ
６０        データベース
６１        ＩＰアドレス
６２        センサ情報
６３        監視場所
７０        ルータ
１００        インターネット（ネットワーク）
１００Ａ      ネットワーク
【図１】
0005459753.tif 000002
【図２】
0005459753.tif 000003
【図３】
0005459753.tif 000004
【図４】
0005459753.tif 000005